(57)【要約】【課題】ホース体の製造性が良好で、かつ、部品コストを抑制できる電気掃除機を提供する。【解決手段】ホース体は、可撓性を有するホース本体を備える。ホース体は、ホース本体の先端側に、使用者が把持操作する手元操作部27を備える。手元操作部27は、管状の手元操作部本体36を有する。手元操作部27は、手元操作部本体36の上側を覆うカバー37を有する。手元操作部27は、ホース本体の先端側を手元操作部本体36に対して連通した状態で保持する回転管38を有する。手元操作部27は、回転管38を手元操作部本体36に対して回転可能に保持する固定体39を有する。固定体39は、手元操作部本体36とカバー37とにより挟持して一体的に固定する。【選択図】図１
2014046002.tif 000002
【特許請求の範囲】
【請求項１】
電動送風機を収容した掃除機本体と、
前記電動送風機の吸込側に連通して基端側が前記掃除機本体に接続される管部とを具備し、
前記管部は、
可撓性を有するホース本体と、
このホース本体の先端側に設けられ、使用者により把持操作される手元操作部とを備え、
前記手元操作部は、
管状の手元操作部本体と、
この手元操作部本体の上側を覆うカバーと、
前記ホース本体の先端側を前記手元操作部本体に対して連通した状態で保持する回転管と、
前記手元操作部本体と前記カバーとにより挟持されて一体的に固定され、前記回転管を前記手元操作部本体に対して回転可能に保持する固定体とを有している
ことを特徴とした電気掃除機。
【請求項２】
管部は、ホース本体から手元操作部に亘って連結された配線を備え、
固定体は、回転管の一部との当接によりこの回転管の手元操作部本体に対する回転範囲を規制する規制部を備えている
ことを特徴とした請求項１記載の電気掃除機。
【発明の詳細な説明】
【技術分野】
【０００１】
本発明の実施形態は、使用者により把持操作される手元操作部を備え、電動送風機の吸込側に連通して掃除機本体に接続される管部を有する電気掃除機に関する。
【背景技術】
【０００２】
従来、いわゆるキャニスタ型の電気掃除機は、被掃除面上を走行可能な掃除機本体と、この掃除機本体に接続された長尺状の風路形成体とを備えている。掃除機本体には、電動送風機、および、この電動送風機の駆動により吸い込んだ塵埃を分離して捕集する集塵部がそれぞれ設けられている。また、風路形成体は、集塵部に連通して掃除機本体に接続されるホース本体およびこのホース本体の先端側に設けられ使用者が把持操作する手元操作部を有する管部であるホース体と、このホース体の手元操作部の先端側に順次着脱可能な延長管および吸込口体としての床ブラシなどとを備えている。そして、手元操作部には、電動送風機の動作モードを設定するための設定ボタンなどが配置されており、使用者がこの手元操作部を把持して設定ボタンを操作することで電動送風機を所望の動作モードで動作させるとともに、床ブラシなどを被掃除面上で前後に走行させることで被掃除面上の塵埃を空気とともに吸い込む。
【先行技術文献】
【特許文献】
【０００３】
【特許文献１】特許第４０００６９１号公報
【発明の概要】
【発明が解決しようとする課題】
【０００４】
ホース体では、手元操作部に対して、ホース本体が回転管を介して回転可能に接続されていることで、掃除中のホース本体の捻れなどを防止している。その際、上記特許文献１に記載された構成では、手元操作部を、手元操作部本体と、この手元操作部本体の上側にて設定ボタン用の基板などを覆うカバーと、ホース本体の先端側に一体に固定された回転管と、この回転管を手元操作部本体に対して回転可能に保持する固定体とにより構成し、手元操作部本体に回転管を接続するとともに、この手元操作部本体に対して固定体をねじ止めし、かつ、手元操作部本体に対してカバーをねじ止めすることにより構成している。
【０００５】
このため、固定体を固定するためのねじが必要となり、部品コストの削減が容易でないとともに、固定体をねじ止め固定する作業が必要となり、製造性が良好でない。
【０００６】
本発明が解決しようとする課題は、管部の製造性が良好で、かつ、部品コストを抑制できる電気掃除機を提供することである。
【課題を解決するための手段】
【０００７】
実施形態の電気掃除機は、電動送風機を収容した掃除機本体を有する。また、この電気掃除機は、電動送風機の吸込側に連通して基端側が掃除機本体に接続される管部を有する。この管部は、可撓性を有するホース本体を備える。また、この管部は、ホース本体の先端側に設けられ、使用者により把持操作される手元操作部を備える。この手元操作部は、管状の手元操作部本体を有する。また、この手元操作部は、手元操作部本体の上側を覆うカバーを有する。さらに、この手元操作部は、ホース本体の先端側を手元操作部本体に対して連通した状態で保持する回転管を有する。そして、この手元操作部は、回転管を手元操作部本体に対して回転可能に保持する固定体を有する。この固定体は、手元操作部本体とカバーとにより挟持されて一体的に固定される。
【図面の簡単な説明】
【０００８】
【図１】一実施形態の電気掃除機の手元操作部の一部を拡大して示す斜視断面図である。
【図２】同上電気掃除機の手元操作部の一部を分解して示す斜視断面図である。
【図３】同上電気掃除機の手元操作部を示す縦断側面図である。
【図４】同上電気掃除機の規制部近傍を示す縦断正面図である。
【図５】同上電気掃除機を示す斜視図である。
【発明を実施するための形態】
【０００９】
以下、一実施形態の構成を図１ないし図５を参照して説明する。
【００１０】
図５において、11はいわゆるキャニスタ型の電気掃除機を示し、この電気掃除機11は、掃除機本体12と、この掃除機本体12に着脱可能に接続される風路形成体13とを有している。
【００１１】
掃除機本体12は、被掃除面としての床面上を旋回および走行可能であり、中空状の本体ケース15と、この本体ケース15に着脱可能な集塵部としての集塵装置16とを備えている。そして、本体ケース15の内部には、電動送風機18、この電動送風機18の動作を制御する図示しない本体制御部、および、これら電動送風機18および本体制御部などに給電するためのコードリール装置、あるいは二次電池などの電源部などが収容されている。さらに、本体ケース15の前部には、集塵装置16に連通するとともに風路形成体13の基端側が接続される本体吸込口19が開口形成されている。さらに、集塵装置16は、電動送風機18の駆動により吸い込んだ含塵空気中の塵埃を分離して捕集することが可能となっている。
【００１２】
また、風路形成体13は、管部であるホース体21と、このホース体21に対して着脱可能な例えば合成樹脂製の延長管22と、この延長管22に対して着脱可能な吸込口体としての床ブラシ23とを備えている。
【００１３】
ホース体21は、可撓性を有するホース本体25と、このホース本体25の基端側(下流側)に設けられ本体吸込口19に接続される接続管部26と、ホース本体25の先端側(上流側)に設けられた手元操作部27とを有している。
【００１４】
ホース本体25には、風路の外部に位置して複数、例えば３本の配線29が埋設されている。これら配線29は、例えばホース本体25に多重螺旋状に配置されている。これら配線29の基端側は、接続管部26の基端側に突設された図示しない接続ピンと電気的に接続されており、先端側は手元操作部27内に導出されている。そして、接続ピンは、本体吸込口19に設けられた図示しない接続端子部に挿入接続されることで、手元操作部27側と掃除機本体12側(本体制御部側)とを電気的に接続可能となっている。
【００１５】
また、手元操作部27には、延長管22の基端側(下流側)が着脱可能に接続される。さらに、この手元操作部27には、把手部31が突設されており、この把手部31には電動送風機18の動作モードを本体制御部に設定するための設定手段としての複数の設定ボタン32aを有する設定部である設定ボタン部32が配置されている。この設定ボタン部32は、手元操作部27の内部に収容された細長い板状の基板部33と電気的に接続されている。この基板部33は、設定ボタン32aのそれぞれに対応する図示しないスイッチを実装しており、配線29を介して掃除機本体12側の本体制御部と電気的に接続されるとともに、基板側配線34により延長管22および床ブラシ23側と電気的に接続される。また、この手元操作部27の先端側の上部には、手元操作部27(ホース体21)に対して延長管22を着脱可能に保持するための保持手段としてのクランプ35が配置されている。なお、以下、前後方向とは、通常の使用状態で把手部31を把持した使用者側から見た方向とし、左右方向(幅方向)は、その前後方向に直交する両側方向とする。
【００１６】
そして、手元操作部27は、図１ないし図５に示すように、例えばホース本体25と連通する手元操作部本体36、この手元操作部本体36の上側を覆うカバー37、ホース本体25の先端側に取り付けられた回転管38、この回転管38を手元操作部本体36に回転可能に保持する固定体39、および、回転管38を覆う回転管カバー40を有している。これら手元操作部本体36、カバー37、回転管38、固定体39および回転管カバー40は、それぞれ例えば合成樹脂により成形されている。なお、これら手元操作部本体36、カバー37、回転管38、固定体39、および、回転管カバー40は、それぞれ左右対称、または略左右対称となっている。したがって、図１ないし図３には、説明をより理解しやすくするために、手元操作部本体36、カバー37、回転管38、固定体39、および、回転管カバー40の一側(右側)のみを図示し、他側(左側)の図示を省略するものとする。
【００１７】
手元操作部本体36は、側面視で略へ字状(鈍角状)に屈曲した円筒状に形成された本体部43を有しており、この本体部43の上側に、把手部31を構成する把持部構成部44が一体に突設されている。
【００１８】
本体部43は、直線状に形成された第１の本体部としての上流側本体部46と、この上流側本体部46の後端に連通しこの上流側本体部46に対して下方へと傾斜した軸方向を有する直線状に形成された第２の本体部としての下流側本体部47とを一体に備えている。
【００１９】
上流側本体部46は、延長管22の基端側が挿入接続される部分である。また、この上流側本体部46の上部には、上流端である前端部に、カバー37の前端に嵌合する前壁部51が上方へと立ち上がって左右方向に沿って突設されており、この前壁部51の後方に、クランプ35を取り付ける保持手段取付部としてのクランプ取付部52が左右方向の中央部に四角形枠状に区画されている。そして、この上流側本体部46の上部の両側には、配線29および基板側配線34を間に挟んで固定するための対をなす配線固定部53，53が、前後方向に複数、互いに離間されて突設されている。また、この上流側本体部46の上部には、補強用のリブ54が、前後方向および左右方向に沿って板状に適宜突設されている。
【００２０】
また、前壁部51には、配線29および基板側配線34と電気的に接続される図示しない端子部が配置される一対の配置孔部51aが開口されている。
【００２１】
また、下流側本体部47は、上流側本体部46と略等しい、または上流側本体部46よりも僅かに内径寸法が大きい筒部56と、この筒部56の下流側である後部に連続し、下流側すなわち後側に向けて拡径した拡径部57と、この拡径部57の下流側である後部に連続し、この拡径部57の最大径寸法と略等しい径寸法(外径寸法および内径寸法)、すなわち筒部56よりも大径に形成され回転管38の上流側が内部に嵌合される接続筒部58とを一体に有している。そして、拡径部57の内周面に、手元操作部本体36に対する回転管38の軸方向位置を規制する回転管受け部としての段差部60が設けられている。
【００２２】
また、下流側本体部47の上部には、筒部56の上部、および、接続筒部58の上部の位置に、それぞれカバー37を手元操作部本体36に対してねじ止め固定するための(第１および第２の)固定部としての円筒状の固定ボス61，62が上方に向けて左右方向の中央部に突設されている。また、この下流側本体部47の上部には、補強用のリブ63が、前後方向および左右方向に沿って板状に適宜突設されている。さらに、この下流側本体部47の上部には、接続筒部58の上部でかつ固定ボス62の後方の位置に、固定体39の一部を内部に挿入するための挿入開口部64と、配線29を導出するための開口部65とが、それぞれ前後に離間された位置に開口されている。
【００２３】
また、把持部構成部44は、下流側本体部47の上部である開口部65の後部から後方上側へと、この下流側本体部47に対して略直交する方向に沿って延びる突出本体部66と、この突出本体部66の先端部である上端部から後方へと屈曲されて延設された延設部67と、この延設部67の先端部である後端部から下方へと屈曲された後部延設部68と、この後部延設部68の先端部である下端部と突出本体部66の基端側である下端側とを接続する接続部69とを一体に有している。したがって、この把持部構成部44は、左右方向に連通する開口71を区画するループ状となっている。そして、この把持部構成部44は、本体部43の上流側本体部46の上側の両側から突出本体部66、延設部67および後部延設部68のそれぞれの両側に亘って一体に連続する側壁部72を備えており、カバー37を下側から受けてカバー37により覆われる受け部となっている。
【００２４】
また、この把持部構成部44の上部には、例えば突出本体部66および延設部67のそれぞれの位置に、この把持部構成部44を補強するとともに基板部33を下側から支持する支持部としての支持リブ73が左右方向に沿って板状に、側壁部72に亘って連続して突設されている。さらに、この把持部構成部44の上部には、延設部67の支持リブ73，73間の位置に、カバー37を手元操作部本体36に対してねじ止め固定するとともに基板部33に挿通されてこの基板部33を位置決め保持するための(第３の)固定部としての円筒状の固定ボス74が上方に向けて左右方向の中央部に突設されている。さらに、この把持部構成部44の後端部である後部延設部68の下端部(接続部69の後端部)には、カバー37を手元操作部本体36に対してねじ止め固定するための(第４の)固定部としての円筒状のねじ受け部75が左右方向の中央部に設けられている。
【００２５】
また、カバー37は、手元操作部本体36の本体部43、すなわち前側の上側を覆う(第１の)カバー部としての前側カバー部77と、この前側カバー部77の後部に連続し手元操作部本体36の突出本体部66の上側を覆う(第２の)カバー部としての連続カバー部78と、この連続カバー部78の後部に連続し手元操作部本体36の延設部67の上側を覆う(第３の)カバー部としての中間カバー部79と、この中間カバー部79の後部に屈曲状に連続し手元操作部本体36の後部延設部68の上側を覆う(第４の)カバー部としての後側カバー部80とを一体に備えている。そして、このカバー37の中間カバー部79と手元操作部本体36の延設部67とにより、使用者の頭部側である上側に設定ボタン部32が臨むパネル部81が構成されているとともに、このカバー37の後部カバー部80と手元操作部本体36の後部延設部68とにより、使用者が把持して床ブラシ23などを操作するための把持部82が構成されている。
【００２６】
さらに、このカバー37の前端近傍(前側カバー部77)には、クランプ35の上部を露出させるための露出開口部84が左右方向の中央部に開口されている。また、このカバー37の中間カバー部79には、設定ボタン部32を配置するための配置部85が前後方向に沿って長手状に凹設されており、この配置部85には、それぞれの設定ボタン32aに対応して、上下方向に可動的な可動部85aがそれぞれ下側へと突設されている。そして、このカバー37には、このカバー37を手元操作部本体36に対してねじ止めするための(第１ないし第３の)カバー側固定部としての円筒状のカバー側ねじ受け部86，87，88、および、(第４の)カバー側固定部としての円筒状のカバー側固定ボス89が、下方に向けて左右方向の中央部に突設されている。カバー側ねじ受け部86，87は、前側カバー部77に前後に離間され位置し、手元操作部本体36の固定ボス61，62と上下に対向する位置となっている。また、カバー側ねじ受け部88は、中間カバー部79の配置部85に位置しており、手元操作部本体36の固定ボス74と上下に対向する位置となっている。さらに、カバー側固定ボス89は、後部カバー部80の後端部である下端部に位置しており、手元操作部本体36のねじ受け部75と上下に対向する位置となっている。また、カバー側ねじ受け部86，87，88は、それぞれカバー37の上側に開口しており、カバー側固定ボス89は、カバー37の下側に開口している。このため、カバー37を手元操作部本体36に取り付け固定する際、カバー側ねじ受け部86，87，88には、上側から(第１ないし第３の)固定部材であるねじ91，92，93が挿入され、これらねじ91，92，93が固定ボス61，62，74にねじ止めされるとともに、カバー側固定ボス89には、ねじ受け部75に下側から挿入された(第４の)固定部材であるねじ94がねじ止めされるようになっている。
【００２７】
また、回転管38は、上流側である前端側の内径寸法が上流側(前側)へと徐々に拡径された回転管拡径部96となっている。すなわち、この回転管拡径部96は、下流側(後側)へと徐々に縮径されている。さらに、この回転管38は、上流側が手元操作部本体36(手元操作部本体36の本体部43の下流側本体部47の接続筒部58)の下流側に挿入されており、上流端97が手元操作部本体36の段差部60に当接しているとともに、下流側がホース本体25に挿入されている。また、この回転管38の外周には、上流側(前端側)から下流側(後側)へと、シール部材取付部98，98、規制突出部99、およびフランジ部100がそれぞれ全周に亘ってフランジ状(鍔状)に突設されており、シール部材取付部98，98間に、手元操作部本体36(手元操作部本体36の本体部43)との接続の気密性を得るためのシール部材101が保持され、シール部材取付部98と規制突出部99との間が、回転管38の全周に亘って連続するガイド溝部である溝部102となっており、かつ、規制突出部99とフランジ部100との間が、回転管38の全周に亘って連続し配線29を収容する配線収容部103となっている。さらに、この回転管38のフランジ部100よりも後側の外周には、配線29を挟持して固定するための対をなす配線保持部105，105が複数箇所に突設されている。そして、この回転管38の配線保持部105よりも後側である下流側(後端側)の外周には、ホース本体25の上流端側(先端側(前端側))の内周を保持するためのホース本体保持部としての保持リブ106が突設されている。
【００２８】
シール部材取付部98，98、規制突出部99、および、フランジ部100は、それぞれ手元操作部本体36(手元操作部本体36の本体部43の接続筒部58)内に位置している。
【００２９】
また、シール部材101は、例えばエラストマなどの弾性を有する部材によって円環状に形成されており、外周側が接続筒部58の内周面に摺接可能に圧接されている。
【００３０】
また、溝部102は、固定体39の一部が挿入されることで、回転管38を手元操作部本体36(手元操作部本体36の本体部43の下流側本体部47の接続筒部58)に対して周方向に回動可能にガイドするとともに、回転管38を手元操作部本体36(手元操作部本体36の本体部43の下流側本体部47の接続筒部58)に対して抜け止めする部分であり、回転管38の手元操作部本体36に対する回転角度に拘らず挿入開口部64と常時連通している。さらに、この溝部102には、シール部材取付部98と規制突出部99とを連結して、すなわち回転管38の軸方向に沿って、回転範囲規制部109(図４)が突設されている。この回転範囲規制部109は、溝部102を周方向に少なくとも２つに分断しており、回転管38の手元操作部本体36に対する回転範囲(回転角度)を３６０°未満の所定角度に規制している。換言すれば、この回転範囲規制部109は、回転管38が手元操作部本体36に対して周方向に一回転しないように規制している。
【００３１】
また、配線収容部103は、回転管38の手元操作部本体36に対する回転角度に拘らず開口部65と常時連通している。さらに、この配線収容部103は、フランジ部100に切り欠き形成された図示しない切欠部から内部に配線29が導入されている。
【００３２】
さらに、配線保持部105，105および保持リブ106は、それぞれ手元操作部本体36の外部に位置し、回転管カバー40によって覆われている。また、配線保持部105，105は、ホース本体25の上流端よりも前方にそれぞれ位置しており、このホース本体25によって覆われていない。
【００３３】
また、固定体39は、回転管38を手元操作部本体36に対して回転可能に保持するもので、板状に形成された固定体本体111、この固定体本体111の上側に突設された円筒状の被挟持部112および配線導入部113、および、この固定体本体111の下側に突設された抜止部としてのガイド部である規制部114を一体に備えている。そして、この固定体39は、手元操作部本体36の本体部43(本体部43の下流側本体部47)の上側に配置されており、この手元操作部本体36とカバー37とにより上下方向に挟持されている。
【００３４】
被挟持部112は、固定体本体111の前端側に設けられており、手元操作部本体36の固定ボス62が下側から挿入嵌合される(固定ボス62に上側から被せられる)とともに、上側にカバー37のカバー側ねじ受け部87が密着され、ねじ92によってカバー37とともに手元操作部本体36に対して一体的に共締め固定されている。すなわち、手元操作部本体36の固定ボス62、および、カバー37のカバー側ねじ受け部87は、固定体39を挟持する挟持部(本体側挟持部およびカバー側挟持部)となっている。
【００３５】
また、配線導入部113は、固定体本体111の後端側に設けられており、開口部65の上部に位置し、この開口部65と連通している。そして、この配線導入部113には、ホース本体25側から配線収容部103および開口部65を介して配線29が下側から導入されており、これら配線29を上側である基板部33へとガイドしている。
【００３６】
さらに、規制部114は、左右方向に沿って長手方向を有するリブ状に設けられており、挿入開口部64を介して溝部102に挿入されて回転管38の外周面と先端側が対向し、この回転管38を手元操作部本体36に対して周方向に回動可能とするとともに、シール部材取付部98と当接することで回転管38を手元操作部本体36に対して抜け止めするものである。また、この規制部114は、回転範囲規制部109と当接することにより回転管38の手元操作部本体36に対する回転範囲(回転角度)を規制可能となっている。
【００３７】
また、回転管カバー40は、手元操作部本体36(手元操作部本体36の本体部43の接続筒部58)から露出した回転管38の下流側の外部を覆い、この回転管38と一体的となっている。さらに、この回転管カバー40は、手元操作部本体36の下流側(手元操作部本体36の本体部43の接続筒部58)に対して、回転可能に接続されている。
【００３８】
また、延長管22には、上流端である基端側に、手元操作部27に対して接続する際に配置孔部51a，51aに挿入されて電気的に接続される図示しない接続ピン部が突設されている。さらに、この延長管22の内部には、接続ピン部と一端側が電気的に接続された接続配線が配置されている。そして、この延長管22には、下流端である先端側に、接続配線の他端側と電気的に接続された接続配線孔が設けられている。
【００３９】
また、床ブラシ23は、左右幅方向に長手状、すなわち横長に形成されたケース体121と、このケース体121の後部に回転可能に接続され延長管22の先端側(上流側)に着脱可能に接続される接続管122とを備えている。さらに、ケース体121には、床面に対向する下面に、接続管122と連通する図示しない吸込口が開口されており、この吸込口から空気とともに塵埃を吸い込み可能に構成されている。また、この吸込口には、図示しない回転清掃体が回転可能に配置されており、この回転清掃体は、ケース体121内に収容された駆動手段である電動機により回転駆動されるようになっている。この電動機は、設定ボタン部32(基板部33)からの信号に応じて、ケース体121内に収容された制御部により駆動が制御される。そして、この制御部は、接続管122の先端側に突設された図示しない接続ピン体と電気的に接続されており、これら接続ピン体が、延長管22に対して接続管122を接続する際に接続配線孔に挿入されて電気的に接続されることで、延長管22側と電気的に接続される。
【００４０】
次に、上記一実施形態の動作を説明する。
【００４１】
ホース体21の組立の際には、まず、配線29を内部に施し基端側に接続管部26を取り付けたホース本体25の先端側を、予め成形した回転管38の下流端側の外周に被せて保持リブ106により保持する。
【００４２】
次いで、ホース本体25の先端側から引き出した配線29を配線保持部105，105間およびフランジ部100の切欠部にそれぞれ固定するとともに、シール部材101をシール部材取付部98，98間に取り付け、この回転管38を取り付けたホース本体25の先端側を、予め成形した手元操作部本体36の本体部43の下流側本体部47から回転管38とともに、上流端97が段差部60に当接する位置まで圧入する。このとき、配線29は、下流側本体部47から手元操作部本体36内へと挿入し、開口部65から本体部43の上側へと引き出す。
【００４３】
そして、手元操作部本体36に対して、予め成形した固定体39を上側から取り付ける。このとき、固定体39は、被挟持部112に対して下側から手元操作部本体36の固定ボス62を挿入嵌合するとともに、規制部114を挿入開口部64に挿入嵌合し、かつ、配線導入部113を開口部65と連通した位置とする。この状態で、規制部114が溝部102に挿入される。また、配線29は、固定体39の配線導入部113からさらに上方へと引き出し、手元操作部本体36の固定ボス74を挿入するとともに支持リブ73に保持した基板部33に対して、例えばコネクタなどを用いて電気的に接続する。
【００４４】
さらに、クランプ35などをクランプ取付部52に配置するとともに、配線29および基板側配線34を各配線固定部53，53間に挟持固定し、これら配線29および基板側配線34を端子部に電気的に接続する。
【００４５】
この後、設定ボタン部32を配置部85に取り付けたカバー37を手元操作部本体36に対して上側から被せる。このとき、カバー37の露出開口部84、カバー側ねじ受け部86，87，88、カバー側固定ボス89、および、配置部85を、手元操作部本体36のクランプ35、固定ボス61，62，74、ねじ受け部75、および、基板部33に対してそれぞれ位置合わせする。この結果、クランプ35が露出開口部84から露出し、固定体39の被挟持部112および基板部33が、固定ボス62とカバー側ねじ受け部87との間で上下から挟持される。
【００４６】
そして、カバー側ねじ受け部86，87，88およびねじ受け部75に対してそれぞれねじ91，92，93，94を挿入して締め付けることにより、カバー37が固定体39とともに手元操作部本体36に対してねじ止め固定され、回転管38が固定体39により手元操作部本体36に対して回転可能に抜け止め保持される。
【００４７】
掃除の際には、上記完成したホース体21の接続管部26を掃除機本体12の本体吸込口19に接続し、このホース体21の手元操作部27に延長管22を接続し、この延長管22に床ブラシ23の接続管122を接続する。この結果、床ブラシ23が、(延長管22、ホース体21、本体吸込口19および集塵装置16を介して)電動送風機18の吸込側に連通接続されるとともに、床ブラシ23内の電動機および制御部などが、接続ピン体、接続配線部、接続ピン部、端子部を介して基板部33に接続されているとともに、配線29および接続ピンを介して掃除機本体12側(電源部および本体制御部)に対して電気的に接続される。
【００４８】
そして、使用者は、電源部により給電可能な状態とした後、把手部31を把持し、所望の設定ボタン32aを操作することにより、可動部85aが動作して基板部33のスイッチを操作し、このスイッチの操作が本体制御部へと電気的に伝達して、この本体制御部により電動送風機18を所望の動作モードで起動させる。このため、電動送風機18の駆動により、負圧が集塵部、本体吸込口19、ホース体21、延長管22および床ブラシ23へと順次作用する。さらに、使用者は、床ブラシ23を被掃除面上に載置して前後に走行させることで、吸込口から塵埃を空気とともに吸い込む。また、使用者は、必要に応じて設定ボタン32aを操作することで、可動部85aが動作して基板部33のスイッチを操作し、このスイッチの操作が床ブラシ23の制御部へと電気的に伝達して、この制御部により電動機を介して回転清掃体を回転駆動させて被掃除面の塵埃を掻き出す。
【００４９】
床ブラシ23に空気とともに吸い込まれた塵埃は、接続管122、延長管22、ホース体21、本体吸込口19を介して集塵装置16へと吸い込まれる。そして、集塵装置16に吸い込まれた塵埃は空気と分離されてこの集塵装置16に捕集される。また、塵埃と分離された空気は、電動送風機18へと吸い込まれ、この電動送風機18を冷却した後、排気されて排気風となり、掃除機本体12の外部へと排気される。
【００５０】
掃除が終了したときには、使用者が設定ボタン32aを操作することで本体制御部が電動送風機18を停止させる。
【００５１】
以上説明した一実施形態によれば、ホース本体25の先端側を保持する回転管38を手元操作部本体36に対して回転可能に保持する固定体39を、手元操作部本体36とカバー37とにより挟持してねじ92により一体的に固定(共締め)することにより、固定体を別個にねじ止めなどにより固定する場合と比較して、固定体39を手元操作部本体36に固定するための固定部材(ねじ)が不要になる。したがって、固定体39を固定する作業が別途不要になり、ホース体21の製造性が良好になるとともに、固定体39を固定するためのねじなども不要になり、部品コストを抑制できる。
【００５２】
すなわち、手元操作部本体36と、この手元操作部本体36に対して被せるカバー37とで固定体39を上下から挟持しつつ、手元操作部本体36に対してカバー37を固定するためのねじ92(複数のねじ91，92，93，94のうちのいずれか一つ)を、手元操作部本体36に対する固定体39の固定に共用することで、手元操作部本体36に対してカバー37を被せてねじ止めする一連の作業によって、固定体39をも同時に固定できる。したがって、手元操作部27の組立工程中で従来は複数であった工程を一つの工程にまとめて簡略化できるとともに、部品点数を抑制できる。
【００５３】
また、固定体39に、回転管38の一部である回転範囲規制部109との当接によりこの回転管38の手元操作部本体36に対する回転範囲を規制する規制部114を設けることにより、回転管38とともにホース本体25が周方向に回転してホース本体25から手元操作部27に亘って連結された配線29が捻れることを防止できる。しかも、この配線29の捻れを防止するための規制部114を、回転管38を手元操作部本体36に対して回転可能に保持するための固定体39に設けるため、この固定体39を有効に利用し、規制部を固定体と別個に設ける場合と比較して部品点数を抑制でき、部品コストをより抑制できるとともに、規制部を別個に組み込む作業なども不要となり、ホース体21の製造性をより向上できる。
【００５４】
なお、上記一実施形態において、床ブラシ23に回転清掃体および電動機を設けない場合には、接続ピン体、および、延長管22の接続配線孔、接続ピン部などはそれぞれ不要となる場合もある。
【００５５】
また、手元操作部本体36とカバー37とは、ねじ止め固定に限定されるものではなく、任意の固定部材を用いて固定する構成でもよい。
【００５６】
さらに、電気掃除機11は、集塵装置16を本体ケース15に対して着脱可能な構成としたが、例えば本体ケース15の内部に集塵室を区画し、この集塵室に、集塵部として集塵袋などを着脱可能に配置する構成などとしてもよい。
【００５７】
そして、本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５８】
11    電気掃除機
12    掃除機本体
18    電動送風機
21    管部であるホース体
25    ホース本体
27    手元操作部
29    配線
36    手元操作部本体
37    カバー
38    回転管
39    固定体
114   規制部
【図１】
2014046002.tif 000003
【図２】
2014046002.tif 000004
【図３】
2014046002.tif 000005
【図４】
2014046002.tif 000006
【図５】
2014046002.tif 000007